(57)【要約】【課題】レシートが発行される前にそのレシートの印字内容を確認できるようにする。【解決手段】レシートを印字する前に当該レシートの印字イメージを示すレシート画像を作成し、表示部に表示させる。ここで、確定操作がなされると、この表示部に表示されたレシート画像で示される印字イメージのレシートを印字発行させる。【選択図】図４
2006343940.tif 000002
【特許請求の範囲】
【請求項１】
１商取引として売上げられる商品の販売データを処理し、当該商取引の合計金額を算出して表示部に表示させるとともに、レシートを印字発行する商品販売データ処理装置において、
前記レシートを印字する前に当該レシートの印字イメージを示すレシート画像を前記表示部に表示させるレシート画像表示手段と、
このレシート画像表示手段により前記表示部に表示されたレシート画像で示される印字イメージのレシートを印字発行させるレシート発行制御手段と、
を具備したことを特徴とする商品販売データ処理装置。
【請求項２】
前記レシート画像表示手段により前記表示部に表示されたレシート画像で示される印字イメージに、入力部からの入力情報に応じて編集を加えるイメージ編集手段をさらに具備し、
前記レシート発行制御手段は、前記イメージ編集手段により印字イメージが編集された場合には編集後の印字イメージに一致するレシートを印字発行させることを特徴とする請求項１記載の商品販売データ処理装置。
【請求項３】
前記イメージ編集手段は、商取引とは関係のない付加情報の追加，削除または変更を行う手段であることを特徴とする請求項２記載の商品販売データ処理装置。
【発明の詳細な説明】
【技術分野】
【０００１】
本発明は、商取引の明細が印字されたレシートの発行機能を有するＰＯＳ（Point Of Sales）端末，電子式キャッシュレジスタ，電子料金秤等の商品販売データ処理装置に関する。
【背景技術】
【０００２】
通常、ＰＯＳ端末等の商品販売データ処理装置は、１商取引として売上げる客買上商品の販売データを処理した後、締めキー操作によって商取引の締めが宣言されると、レシートプリンタを動作させて当該商取引の明細が印字されたレシートを発行する機能を有している。
【０００３】
この種の商品販売データ処理装置から発行されるレシート１の印字例を図２２に示す。一般的に、レシート１の先頭には店名またはロゴマーク２が印字され、続いてメッセージ３が印字される。続いて、取引日付４、取引時刻５、販売商品の品名及び価格６、小計，合計，お預り及びお釣りの各金額７、取引番号８、操作責任者名９等の取引明細データが印字された後、コマーシャル画像１０等が印字されて発行される。
【０００４】
ここで、メッセージ３やコマーシャル画像１０は、商取引とは関係なく販促用の情報として付加される情報であり、予め設定された内容が印字される。例えば従来、客層別に一定期間内でのヒット商品の指標となるデータを商品毎に集計して客層別のヒット商品リストを作成し、商品登録時に指定された客層のヒット商品リストを該当する顧客のレシートに印字するようにして、顧客の購買意欲を高めるようにした技術は、既に知られていた（例えば、特許文献１参照）。
【特許文献１】特開平０７−０３７１６４号公報
【発明の開示】
【発明が解決しようとする課題】
【０００５】
上述したように、従来の商品販売データ処理装置においては、商取引の明細データが印字されるレシートに、商取引とは関係のない販促用情報等の付加情報を印字させることはできたものの、その印字内容は予め設定された条件により導出される固定の情報であったので、本当にその客にとって適切な付加情報が印字されているのか否かを確かめることができなかった。
【０００６】
本発明はこのような事情に基づいてなされたもので、その目的とするところは、レシートが発行される前にそのレシートの印字内容をチェックできる商品販売データ処理装置を提供しようとするものである。
【課題を解決するための手段】
【０００７】
本発明は、１商取引として売上げられる商品の販売データを処理し、当該商取引の合計金額を算出して表示部に表示させるとともに、レシートを印字発行する例えばＰＯＳ端末等の商品販売データ処理装置において、レシートを印字する前に当該レシートの印字イメージを示すレシート画像を表示部に表示させるレシート画像表示手段と、このレシート画像表示手段により表示部に表示されたレシート画像で示される印字イメージのレシートを印字発行させるレシート発行制御手段とを備えたものである。
【０００８】
かかる手段を講じたことにより、レシートが発行される前にそのレシートの印字イメージを示すレシート画像が表示部に表示される。しかる後、例えば所定のキーを操作することによって、このレシート画像で表示される印字イメージのレシートが発行される。
【発明の効果】
【０００９】
かかる手段を講じた本発明によれば、レシートが発行される前にそのレシートの印字内容をチェックできる商品販売データ処理装置を提供できる。
【発明を実施するための最良の形態】
【００１０】
以下、本発明を実施するための最良の形態について、図面を用いて説明する。  
なお、この実施の形態は、図２２に示したレイアウトのレシート１を発行可能なＰＯＳ端末に本発明を適用した場合である。
【００１１】
図１は本実施の形態におけるＰＯＳ端末の外観構成を示す斜視図である。このＰＯＳ端末は、筐体１１の正面にキーボード１２を設け、上面にオペレータ用ディスプレイとしてのタッチパネル１３と客用ディスプレイ１４とを取り付けている。また、レシートプリンタ１５を内蔵しており、このプリンタ１５で印字されたレシート１を筐体正面側のレシート発行口１６から発行するようになっている。
【００１２】
キーボード１２は、商品の販売点数や預り金額などの数値データを入力するための置数キー、小計の出力を指示する小計キー、１商取引の登録締めを宣言する締めキー等の商取引に関するデータ処理に必要な各種キーを配設したものである。そしてこのキーボード１２は、後述するレシート編集モードに入ると、販促メッセージ等の文字データを入力する入力部として機能する。
【００１３】
図３は上記ＰＯＳ端末の制御回路構成を示すブロック図である。このＰＯＳ端末は、制御部本体としてＣＰＵ（Central Processing Unit）２１を搭載している。そして、このＣＰＵ２１に、アドレスバス，データバス等のバスライン２２を介して、主記憶部を構成するＲＯＭ（Read Only Memory）２３及びＲＡＭ（Random Access Memory）２４と、電子ジャーナル記憶部２５，時計部２６，通信コントローラ２７，スキャナインターフェイス２８，ドロワインターフェイス２９，キーボードコントローラ３０，表示コントローラ３１，タッチパネルコントローラ３２及びプリンタコントローラ３３の各部とをそれぞれ接続して、ＰＯＳ端末の制御回路を構成している。
【００１４】
電子ジャーナル記憶部２５は、電子化されたジャーナルデータを蓄積保存する部位で、例えばＨＤＤ（Hard Disk Drive）装置によって構成されている。時計部２６は、現在の日付及び時刻を計時する部位である。通信コントローラ２７は、有線または無線により接続されるＰＯＳサーバとの間のデータ送受信を制御する部位である。スキャナインターフェイス２８は、バーコード等を読取るためのスキャナが接続される部位である。なお、スキャナはバーコードリーダに限るものではなく、二次元コードリーダや無線タグリーダ等であってもよい。ドロワインターフェイス２９は、釣銭準備金としての現金を収容するためのドロワが接続される部位である。なお、ドロワインターフェイス２９の代わりに自動釣銭機のインターフェイスを設け、自動釣銭機から釣銭を自動払出しするようにしてもよい。キーボードコントローラ３０は、前記キーボード１２から操作キーに対応したキー信号を入力する部位である。表示コントローラ３１は、客用ディスプレイ１４に対するデータ表示を制御する部位である。タッチパネルコントローラ３２は、タッチパネル１３を構成する表示部１３１のデータ表示を制御するとともに、上記表示部１３１の画面上に設けられたタッチパネルセンサ１３２の信号を入力する部位である。プリンタコントローラ３３は、レシートプリンタ１５のレシート印字及び発行動作を制御する部位である。
【００１５】
かかる構成のＰＯＳ端末は、レシート印字に必要なメモリ領域として、図２に示すように、１商取引として売上げられた各商品のコード，販売点数，販売金額等の商品販売データやその合計金額，預かり金額，釣銭額等の商取引明細データを記憶する取引明細メモリ４１、レシートの印字イメージデータが展開されるレシート展開メモリ４２、レシートに付加情報として印字されるメッセージのデフォルトデータを記憶するデフォルトメッセージメモリ４３、上記メッセージデータを編集するための領域であるメッセージ編集メモリ４４、レシートに付加情報として印字されるコマーシャル画像のデフォルトデータを記憶するデフォルトＣＭ画像メモリ４５及び上記コマーシャル画像の他のデータを複数記憶可能な可変ＣＭ画像メモリ４６等をＲＡＭ２４に形成している。
【００１６】
しかして、このＰＯＳ端末は、図４の流れ図に示す手順に従いＣＰＵ２１が１商取引に対するレシートの印字発行を制御するようにプログラムを構成している。
【００１７】
キーボード１２またはスキャナを介して商品が登録されると、ＣＰＵ２１は、ＳＴ（ステップ）１として売上登録処理を実行する。すなわち、キーボード１２またはスキャナを介して入力された商品データに基づいて登録商品の販売データを取得し、この商品販売データをタッチパネル１３と客用ディスプレイ１４に表示させるとともに、取引明細メモリ４１に登録処理する。ＣＰＵ２１は、１商取引として売上げる商品が登録される毎に、上記売上登録処理を実行する。これにより、取引明細メモリ４１には、１商取引して売上げる各商品の販売データとその合計データとが記憶される。
【００１８】
その後、１商取引の締めを宣言する締めキーが操作されると、ＣＰＵ２１は、ＳＴ２として決済処理を実行する。すなわち、１商取引として売上げる商品の合計データと、入力された支払データとから商取引を決済させる。例えば、入力された支払いデータが現金の預かり金額データであった場合には、この預かり金額から合計金額を減算して釣銭額を求め、タッチパネル１３と客用ディスプレイ１４に表示させる。また、合計金額，預かり金額，釣銭額等の支払データを取引明細メモリ４１に登録処理する。
【００１９】
次に、ＣＰＵ２１は、ＳＴ３としてレシートイメージデータの作成処理を実行する。すなわち、取引明細メモリ４１に記憶されている商品販売データや支払データに基づいて、当該１商取引の明細が印字されるレシートの印字イメージデータを作成し、レシート展開メモリ４２に書き込む。このとき、デフォルトメッセージメモリ４３にメッセージのデフォルトデータが記憶されていた場合には、このメッセージがレシートの先頭部分に印字されるように、当該デフォルトデータをレシート展開メモリ４２に追加する。また、デフォルトＣＭ画像メモリ４５にコマーシャル画像のデフォルトデータが記憶されていた場合には、このコマーシャル画像がレシートの終端部分に印字されるように、当該デフォルトデータをレシート展開メモリ４２に追加する。
【００２０】
次に、ＣＰＵ２１は、ＳＴ４としてレシートイメージ作成処理を実行する。すなわち、レシート展開メモリ４２に記憶された印字イメージデータからレシートの印字イメージを示すレシート画像を形成し、このレシート画像を含むレシート編集画面５０をタッチパネル１３に表示させる（レシート画像表示手段）
レシート編集画面５０の一例を図９に示す。図示するように、レシート編集画面５０には、レシート画像５１とともに、メッセージ編集キー５２，メッセージ追加キー５３，コマーシャル変更キー５４，コマーシャル追加キー５５及び確定キー５６の各キーイメージが表示されている。これにより、当該ＰＯＳ端末は、レシート編集モードに入る。
【００２１】
次に、ＣＰＵ２１は、上記メッセージ編集キー５２，メッセージ追加キー５３，コマーシャル変更キー５４，コマーシャル追加キー５５及び確定キー５６のうちいずれかのキーがタッチ入力されるのを待機する。
【００２２】
ここで、ＳＴ５としてメッセージ編集キー５２がタッチ入力されたことを検知した場合には、ＣＰＵ２１は、レシート画像５１のメッセージデータを変更または削除するためのメッセージ編集処理を実行する（イメージ編集手段）。メッセージ追加キー５３がタッチ入力されたことを検知した場合には、ＣＰＵ２１は、レシート画像５１にメッセージデータを追加するためのメッセージ追加処理を実行する（イメージ編集手段）。コマーシャル編集キー５４がタッチ入力されたことを検知した場合には、ＣＰＵ２１は、レシート画像５１のコマーシャル画像データを変更または削除するためのコマーシャル変更処理を実行する（イメージ編集手段）。コマーシャル追加キー５５がタッチ入力されたことを検知した場合には、ＣＰＵ２１は、レシート画像５１にコマーシャル画像データを追加するためのコマーシャル追加処理を実行する（イメージ編集手段）。
【００２３】
そして、上記メッセージ編集処理，メッセージ追加処理，コマーシャル変更処理またはコマーシャル追加処理を実行する毎に、ＣＰＵ２１は、ＳＴ４のレシートイメージ表示処理ステップに戻り、レシート展開メモリ４２に記憶された印字イメージデータからレシートの印字イメージを示すレシート画像５１を再度形成して、このレシート画像５１を含むレシート編集画面５０をタッチパネル１３に表示させる（レシート画像表示手段）。
【００２４】
一方、ＳＴ９として確定キー５６がタッチ入力されたことを検知した場合には、ＰＯＳ端末は、レシート編集モードから抜ける。そしてＣＰＵ２１は、ＳＴ１０としてレシート展開メモリ４２記憶された印字イメージデータをレシートプリンタ１５に出力してレシート印字を行わせ、レシートを発行させる（レシート発行制御手段）。以上で、１商取引に対するレシートの印字発行処理が終了するものとなっている。
【００２５】
このように、本実施の形態のＰＯＳ端末においては、１商取引として売上げる商品が登録され、続いて締めキーが操作されて当該商取引の締めが宣言されると、オペレータ用ディスプレイであるタッチパネル１３に、レシート編集画面５０として当該商取引に関するレシートの印字イメージを示すレシート画像５１が表示される。その後、レシート編集画面５０の確定キー５６をタッチ操作することにより、当該レシート画像５１に対応したレシートがレシートプリンタ１５によって印字され、レシート発行口１６から発行される。
【００２６】
したがって、ＰＯＳ端末のオペレータ、いわゆるキャッシャは、レシートが発行される前にそのレシートの印字内容をチェックすることができる。その結果、例えば客にとって不適切なメッセージやコマーシャル画像等の付加情報が印字されていた場合には、その部分を黒く塗り潰してから客に渡すなどの対応を容易に取ることができるようになる。
【００２７】
次に、上記メッセージ編集処理，メッセージ追加処理，コマーシャル変更処理及びコマーシャル追加処理の処理手順について具体的に説明する。
【００２８】
図５はメッセージ編集処理の主要な処理手順を示す流れ図である。レシート編集モードにおいて、レシート編集画面５０のメッセージ編集キー５２がタッチ操作されると、ＣＰＵ２１は、このメッセージ編集処理を開始する。
【００２９】
先ず、ＳＴ１１としてレシート展開メモリ４２に記憶された印字イメージデータからメッセージデータ（図では「お買い上げありがとうございました」）を抽出し、メッセージ編集メモリ４４に格納する。次に、ＣＰＵ２１は、ＳＴ１２として例えば図１０に示すレイアウトのメッセージ編集画面６０をタッチパネル１３に表示させる。このメッセージ編集画面６０には、レシート画像５１とともに確定キー６１及び削除キー６２の各キーイメージが表示される。また、メッセージウィンドウ６３が開かれ、メッセージ編集メモリ４４内のメッセージデータに相当するメッセージが表示される。
【００３０】
次に、ＣＰＵ２１は、メッセージデータが入力されるか、確定キー６１または削除キー６２がタッチ入力されるのを待機する。  
ここで、ＳＴ１３としてキーボード１２のキー操作によりメッセージデータが入力された場合には、ＣＰＵ２１は、ＳＴ１６としてメッセージ編集メモリ４４内のメッセージデータを削除し、その代わりにキー入力されたメッセージデータを格納する。これにより、メッセージウィンドウ６３内のメッセージもキー入力されたメッセージデータに相当するメッセージに変更される。しかる後、確定キー６１がタッチ入力されるのを待機する。
【００３１】
また、ＳＴ１４として削除キー６２がタッチ入力された場合には、ＣＰＵ２１は、ＳＴ１７としてメッセージ編集メモリ４４内のメッセージデータを削除する。これにより、メッセージウィンドウ６３内のメッセージも消去される。しかる後、確定キー６１がタッチ入力されるのを待機する。
【００３２】
ＳＴ１５として確定キー６１がタッチ入力された場合には、ＣＰＵ２１は、ＳＴ１８としてレシート展開メモリ４２に記憶されているメッセージデータをメッセージ編集メモリ４４の内容に変更する。すなわち、メッセージデータが記憶されていた場合にはレシート展開メモリ４２のメッセージデータをその記憶されているメッセージデータに変更し、メッセージデータが削除されていた場合には、レシート展開メモリ４２のメッセージデータを削除する。しかる後、ＳＴ１９として上記メッセージ編集画面６０を消去したならば、ＣＰＵ２１は、ＳＴ４のレシートイメージ表示処理ステップに戻る。
【００３３】
このように、本実施の形態のＰＯＳ端末においては、レシート編集画面５０のメッセージ編集キー５２をタッチ操作することにより、タッチパネル１３の画面がメッセージ編集画面６０に切り替わる。ここで、キャッシャが代わりのメッセージ（例えば「明日は、商品ＣＣＣＣがお買い得です。」）をキー入力すると、図１１に示すように、メッセージウィンドウ６３のメッセージが、デフォルトのメッセージから代わりのメッセージに変更される。次いで、確定キー６１をタッチ操作すると、タッチパネル１３の画面がレシート編集画面５０に戻り、図１２に示すように、レシート画像５１のメッセージがデフォルトのメッセージ「お買い上げありがとうございます」から代わりのメッセージ「明日は、商品ＣＣＣＣがお買い得です。」に変更される。その後、確定キー５６をタッチ操作すると、メッセージが「明日は、商品ＣＣＣＣがお買い得です。」に変更されたレシートがレシートプリンタ１５によって印字され、レシート発行口１６から発行される。
【００３４】
また、メッセージ編集画面６０において、キャッシャが削除キー６２をタッチ操作した場合には、メッセージウィンドウ６３のメッセージが削除される。次いで、確定キー６１をタッチ操作すると、タッチパネル１３の画面がレシート編集画面５０に戻り、レシート画像５１のメッセージが削除される。その後、確定キー５６をタッチ操作すると、メッセージのないレシートがレシートプリンタ１５によって印字され、レシート発行口１６から発行される。
【００３５】
したがってキャッシャは、発行前のレシート印字内容をチェックした結果、メッセージが適切でないと判断した場合には、別のメッセージに変更したレシートや、メッセージを消去したレシートを容易に発行させることができる。例えば、お得意様の客に対しては、デフォルトのメッセージに代えて、特別な販促メッセージをレシートに印字させるという運用を容易に取ることができる。
【００３６】
図６はメッセージ追加処理の主要な処理手順を示す流れ図である。レシート編集モードにおいて、レシート編集画面５０のメッセージ追加キー５３がタッチ操作されると、ＣＰＵ２１は、このメッセージ追加処理を開始する。
【００３７】
先ず、ＳＴ２１として例えば図１３に示すレイアウトのメッセージ追加画面７０をタッチパネル１３に表示させる。このメッセージ追加画面７０には、レシート画像５１とともに確定キー７１及び削除キー７２の各キーイメージが表示される。また、メッセージウィンドウ７３が開かれ、メッセージ追加位置を示すガイダンス（図では「矢印の位置にメッセージが追加されます」）が表示される。
【００３８】
次に、ＣＰＵ２１は、メッセージデータが入力されるか、確定キー７１または削除キー７２がタッチ入力されるのを待機する。  
ここで、ＳＴ２２としてキーボード１２のキー操作によりメッセージデータが入力された場合には、ＣＰＵ２１は、ＳＴ２５としてこのメッセージデータをメッセージ編集メモリ４４に格納する。これにより、メッセージウィンドウ６３内にはキー入力されたメッセージが表示される。しかる後、確定キー７１または削除キー７２がタッチ入力されるのを待機する。
【００３９】
また、ＳＴ２３として削除キー７２がタッチ入力された場合には、ＣＰＵ２１は、ＳＴ２６としてメッセージ編集メモリ４４にメッセージデータが格納されているか否かを判断する。そして格納されている場合には、ＳＴ２７としてこのメッセージデータを削除する。これにより、メッセージウィンドウ６３内のメッセージも削除される。しかる後、確定キー６１がタッチ入力されるか、次のメッセージが入力されるのを待機する。
【００４０】
ＳＴ２４として確定キー６１がタッチ入力された場合には、ＣＰＵ２１は、ＳＴ２８としてメッセージ編集メモリ４４にメッセージデータが格納されているか否かを判断する。そして格納されている場合には、ＳＴ２９としてレシート展開メモリ４２にメッセージ編集メモリ４４の内容を追加する。しかる後、ＳＴ３０として上記メッセージ追加画面７０を消去したならば、ＣＰＵ２１は、ＳＴ４のレシートイメージ表示処理ステップに戻る。
【００４１】
このように、本実施の形態のＰＯＳ端末においては、レシート編集画面５０のメッセージ追加キー５３をタッチ操作することにより、タッチパネル１３の画面がメッセージ追加画面７０に切り替わる。ここで、キャッシャが新たなメッセージ（例えば「明日は、商品ＣＣＣＣがお買い得です。」）をキー入力すると、図１４に示すように、メッセージウィンドウ７３にこの新たなメッセージが表示される。次いで、確定キー６１をタッチ操作すると、タッチパネル１３の画面がレシート編集画面５０に戻り、図１５に示すように、レシート画像５１のデフォルトメッセージ「お買い上げありがとうございます」に続いて新たなメッセージ「明日は、商品ＣＣＣＣがお買い得です。」が追加される。その後、確定キー５６をタッチ操作すると、この２種類のメッセージが付加されたレシートがレシートプリンタ１５によって印字され、レシート発行口１６から発行される。
【００４２】
したがってキャッシャは、発行前のレシート印字内容をチェックした結果、メッセージが不足していると判断した場合には、新たなメッセージを追加したレシートを容易に発行させることができる。例えば、お得意様の客に対しては、デフォルトのメッセージに加えて、特別な販促メッセージをレシートに印字させるという運用を容易にとることができる。
【００４３】
図７はコマーシャル変更処理の主要な処理手順を示す流れ図である。レシート編集モードにおいて、レシート編集画面５０のコマーシャル変更キー５４がタッチ操作されると、ＣＰＵ２１は、このコマーシャル変更処理を開始する。
【００４４】
先ず、ＳＴ３１として例えば図１６に示すレイアウトのコマーシャル変更画面８０をタッチパネル１３に表示させる。このコマーシャル変更画面８０には、レシート画像５１とともに確定キー８１及び取消キー８２の各キーイメージが表示される。また、可変ＣＭ画像メモリに記憶されている複数のコマーシャル画像（図では「コマーシャル画像Ａ」，「コマーシャル画像Ｂ」，「コマーシャル画像Ｃ」の３つ）が表示される。
【００４５】
次に、ＣＰＵ２１は、ＳＴ３２としていずれかのコマーシャル画像が選択されるか、ＳＴ３３として取消キー８２がタッチ操作されるのを待機する。  
ここで、いずれかのコマーシャル画像がタッチ操作によって選択された場合には、ＣＰＵ２１は、ＳＴ３４として他の選択されなかったコマーシャル画像を消去し、選択されたコマーシャル画像を拡大して表示させる。しかる後、ＳＴ３５として確定キー８１がタッチ入力されるか、ＳＴ３６として取消キー８２がタッチ入力されるのを待機する。
【００４６】
ここで、確定キー８１がタッチ入力された場合には、ＣＰＵ２１は、ＳＴ３７としてレシート展開メモリ４２に記憶されているコマーシャル画像のデータを、選択されたコマーシャル画像のデータに変更する。しかる後、ＳＴ３８として上記コマーシャル変更画面８０を消去したならば、ＣＰＵ２１は、ＳＴ４のレシートイメージ表示処理ステップに戻る。
【００４７】
なお、ＳＴ３３またはＳＴ３６にて取消キー８２がタッチ入力された場合には、コマーシャル画像のデータを変更することなくコマーシャル変更画面８０を消去して、ＣＰＵ２１は、ＳＴ４のレシートイメージ表示処理ステップに戻る。
【００４８】
このように、本実施の形態のＰＯＳ端末においては、レシート編集画面５０のコマーシャル変更キー５４をタッチ操作することにより、タッチパネル１３の画面がコマーシャル変更画面８０に切り替わる。ここで、キャッシャが所望するコマーシャル画像（例えば「コマーシャル画像Ａ」）タッチ操作すると、図１７に示すように、この選択されたコマーシャル画像Ａが拡大表示される。次いで、確定キー８１をタッチ操作すると、タッチパネル１３の画面がレシート編集画面５０に戻り、図１８に示すように、レシート画像５１のコマーシャル画像がデフォルトのコマーシャル画像から選択されたコマーシャル画像Ａに変更される。その後、確定キー５６をタッチ操作すると、コマーシャル画像Ａに変更されたレシートがレシートプリンタ１５によって印字され、レシート発行口１６から発行される。
【００４９】
したがってキャッシャは、発行前のレシート印字内容をチェックした結果、コマーシャル画像が適切でないと判断した場合には、別のコマーシャル画像に変更したレシートを容易に発行させることができる。例えば、客層としては４０台男性に分類されるが、２０台男性向けの商品の方を好みそうな客の場合には、デフォルトとして印字される４０歳男性向けのコマーシャル画像に代えて、２０台男性向けのコマーシャル画像を印字させることができる。
【００５０】
図８はコマーシャル追加処理の主要な処理手順を示す流れ図である。レシート編集モードにおいて、レシート編集画面５０のコマーシャル追加キー５５がタッチ操作されると、ＣＰＵ２１は、このコマーシャル追加処理を開始する。
【００５１】
先ず、ＳＴ４１として例えば図１９に示すレイアウトのコマーシャル追加画面９０をタッチパネル１３に表示させる。このコマーシャル追加画面９０には、レシート画像５１とともに確定キー９１及び取消キー９２の各キーイメージが表示される。また、可変ＣＭ画像メモリに記憶されている複数のコマーシャル画像（図では「コマーシャル画像Ａ」，「コマーシャル画像Ｂ」，「コマーシャル画像Ｃ」の３つ）が表示される。
【００５２】
次に、ＣＰＵ２１は、ＳＴ４２としていずれかのコマーシャル画像が選択されるか、ＳＴ４３として取消キー９２がタッチ操作されるのを待機する。  
ここで、いずれかのコマーシャル画像がタッチ操作によって選択された場合には、ＣＰＵ２１は、ＳＴ４４として他の選択されなかったコマーシャル画像を消去し、選択されたコマーシャル画像を拡大して表示させる。しかる後、ＳＴ４５として確定キー９１がタッチ入力されるか、ＳＴ９６として取消キー９２がタッチ入力されるのを待機する。
【００５３】
ここで、確定キー９１がタッチ入力された場合には、ＣＰＵ２１は、ＳＴ４７としてレシート展開メモリ４２に記憶されているコマーシャル画像データの後に、選択されたコマーシャル画像データを追加する。しかる後、ＳＴ４８として上記コマーシャル追加画面９０を消去したならば、ＣＰＵ２１は、ＳＴ４のレシートイメージ表示処理ステップに戻る。
【００５４】
なお、ＳＴ４３またはＳＴ４６にて取消キー９２がタッチ入力された場合には、コマーシャル画像データを追加することなくコマーシャル追加画面９０を消去して、ＣＰＵ２１は、ＳＴ４のレシートイメージ表示処理ステップに戻る。
【００５５】
このように、本実施の形態のＰＯＳ端末においては、レシート編集画面５０のコマーシャル追加キー５５をタッチ操作することにより、タッチパネル１３の画面がコマーシャル追加画面９０に切り替わる。ここで、キャッシャが所望するコマーシャル画像（例えば「コマーシャル画像Ａ」）タッチ操作すると、図２０に示すように、この選択されたコマーシャル画像Ａが拡大表示される。次いで、確定キー９１をタッチ操作すると、タッチパネル１３の画面がレシート編集画面５０に戻り、図２１に示すように、レシート画像５１のデフォルトのコマーシャル画像の後に、選択されたコマーシャル画像Ａが追加される。その後、確定キー５６をタッチ操作すると、コマーシャル画像Ａが追加されたレシートがレシートプリンタ１５によって印字され、レシート発行口１６から発行される。
【００５６】
したがってキャッシャは、発行前のレシート印字内容をチェックした結果、コマーシャル画像が不足していると判断した場合には、他のコマーシャル画像を追加したレシートを容易に発行させることができる。例えば、客層としては４０台男性に分類されるが、２０台男性向けの商品の方を好みそうな客の場合には、デフォルトとして印字される４０歳男性向けのコマーシャル画像に加えて、２０台男性向けのコマーシャル画像を印字させることができる。
【００５７】
このように本実施の形態によれば、顧客個人個人に合わせた柔軟な販促メッセージやコマーシャル画像をレシートに印字させることができ、店舗の売上増進を期待できる。
【００５８】
なお、この発明は前記実施形態そのままに限定されるものではなく、実施段階ではその要旨を逸脱しない範囲で構成要素を変形して具体化できる。  
例えば前記実施の形態では、オペレータ用ディスプレイ１３をタッチパネルとし、確定キー，削除キー，取消キー等のキーを入力したり所望するコマーシャル画像を選択したりする際に画面をタッチ操作するようにしたが、ＰＯＳ端末にポインティングデバイスを接続し、画面上のポインタを操作することによって各種キーの入力や所望するコマーシャル画像の選択を行うようにしてもよい。
【００５９】
また、前記実施の形態では、編集可能なレシートの情報を、メッセージとコマーシャル画像の付加情報としたが、他のレシート印字項目、例えば商取引の明細項目を手動で修正する場合も、別途、レシート画像５１のデータ項目を選択する手段を設けることによって、本発明を適用できるものである。
【００６０】
また、前記実施の形態では、メッセージとコマーシャル画像のそれぞれについてデフォルトデータを有するとしたが、デフォルトデータを持たず、キャッシャが必要に応じてメッセージやコマーシャル画像をレシートに追加できるようにしてもよい。
【００６１】
また、本発明においてレシートとは、ＰＯＳ端末や電子式キャッシュレジスタから印字発行される買上レシートに限定されるものではなく、例えば精肉店などの対面販売で用いられる電子料金秤から印字発行される値付ラベルであってもよい。
【００６２】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６３】
【図１】本発明の一実施の形態であるＰＯＳ端末の外観構成を示す斜視図。
【図２】同ＰＯＳ端末のＲＡＭに形成される主要なメモリエリアを示す模式図。
【図３】同ＰＯＳ端末の制御回路構成を示すブロック図。
【図４】同ＰＯＳ端末のレシート印字発行に対するＣＰＵの要部制御手順を示す流れ図。
【図５】図４におけるメッセージ編集処理の要部処理手順を示す流れ図。
【図６】図４におけるメッセージ追加処理の要部処理手順を示す流れ図。
【図７】図４におけるコマーシャル変更処理の要部処理手順を示す流れ図。
【図８】図４におけるコマーシャル追加処理の要部処理手順を示す流れ図。
【図９】レシート編集画面の一例を示す平面図。
【図１０】メッセージ編集画面の一例を示す平面図。
【図１１】メッセージ編集画面のメッセージ入力時の状態を示す平面図。
【図１２】レシート編集画面のメッセージ編集後の状態を示す平面図。
【図１３】メッセージ追加画面の一例を示す平面図。
【図１４】メッセージ追加画面のメッセージ入力時の状態を示す平面図。
【図１５】レシート編集画面のメッセージ追加後の状態を示す平面図。
【図１６】コマーシャル変更画面の一例を示す平面図。
【図１７】コマーシャル変更画面のコマーシャル画像選択時の状態を示す平面図。
【図１８】レシート編集画面のコマーシャル画像変更後の状態を示す平面図。
【図１９】コマーシャル追加画面の一例を示す平面図。
【図２０】コマーシャル追加画面のコマーシャル画像選択時の状態を示す平面図。
【図２１】レシート編集画面のコマーシャル画像追加後の状態を示す平面図。
【図２２】一般的なレシート印字例を示す平面図。
【符号の説明】
【００６４】
１２…キーボード、１３…タッチパネル（オペレータ用ディスプレイ）、１５…レシートプリンタ、２１…ＣＰＵ、４１…取引明細メモリ、４２…レシート展開メモリ、４３…デフォルトメッセージメモリ、４４…メッセージ編集メモリ、４５…デフォルトＣＭ画像メモリ、４６…可変ＣＭ画像メモリ、５０…レシート編集画面、６０…メッセージ編集画面、７０…メッセージ追加画面、８０…コマーシャル変更画面、９０…コマーシャル追加画面。
【図１】
2006343940.tif 000003
【図２】
2006343940.tif 000004
【図３】
2006343940.tif 000005
【図４】
2006343940.tif 000006
【図５】
2006343940.tif 000007
【図６】
2006343940.tif 000008
【図７】
2006343940.tif 000009
【図８】
2006343940.tif 000010
【図９】
2006343940.tif 000011
【図１０】
2006343940.tif 000012
【図１１】
2006343940.tif 000013
【図１２】
2006343940.tif 000014
【図１３】
2006343940.tif 000015
【図１４】
2006343940.tif 000016
【図１５】
2006343940.tif 000017
【図１６】
2006343940.tif 000018
【図１７】
2006343940.tif 000019
【図１８】
2006343940.tif 000020
【図１９】
2006343940.tif 000021
【図２０】
2006343940.tif 000022
【図２１】
2006343940.tif 000023
【図２２】
2006343940.tif 000024